(57)【特許請求の範囲】
【請求項１】
上側に広がる円錐形または円錐台形をした内周面を有した氷容器と、
前記氷容器の周面にて母線の方向に沿って形成したスリットよりなる氷排出口から内部に突出して設けた氷切削刃と、
前記氷容器内にて鉛直方向を軸線回りとして回転自在に設けた回転羽根とを備え、
前記回転羽根は前記氷容器の底部の中心部に回転可能に支持されたハブと、前記ハブから前記氷容器の内周面に沿って延びる複数の羽根部と、前記複数の羽根部の各上縁に接続されて前記氷容器の上側を覆う円環形カバー部とを有し、
前記回転羽根を前記氷容器内で回転させることにより、前記氷容器内に収容した氷を前記複数の羽根部とともに回転させることによって水平方向にて外向きの遠心力を付与して前記氷容器の内周面に押しつけ、回転しながら前記氷容器の内周面に押しつけられた氷を前記氷切削刃により削り取って削り氷として前記氷排出口から放出させるようにした氷削機であって、
前記回転羽根の羽根部の上縁には前記円環形カバー部の下面との間の前記回転羽根の回転方向を向く面に前記回転方向に進むにつれて上側に傾斜する傾斜面を有した傾斜部を設けたことを特徴とする氷削機。
【請求項２】
請求項１に記載の氷削機において、
前記傾斜部は傾斜面を内側に凹む曲面形状としたことを特徴とする氷削機。
【請求項３】
請求項１または２に記載の氷削機において、
前記傾斜部は前記氷容器の中心側から外側に進むに連れて前記傾斜面が狭くなるようにしたことを特徴とする氷削機。
【発明の詳細な説明】
【技術分野】
【０００１】
本発明は、削り氷を製造する氷削機に関する。
【背景技術】
【０００２】
特許文献１には、かき氷等の削り氷を製造する氷削機が開示されている。この氷削機は、モータを内蔵したベースケーシングの上側に設けた円錐台形をした内周面を有した氷容器と、氷容器の周面にて母線の方向に形成したスリットよりなる氷排出口から内部に突出して設けた氷切削刃と、氷容器内に回転自在に設けられた回転羽根とを備えている。この氷削機の回転羽根は、氷容器の底部の中心部に回転可能に支持されたハブと、ハブから氷容器の内周面に沿って外側に延びる複数の羽根部と、複数の羽根部の各上縁に接続されて氷容器の上側を覆う円環形カバー部とを有している。
【０００３】
この氷削機においては、モータの駆動によって回転羽根を氷容器内で回転させることにより、氷容器内に収容した氷を複数の羽根部とともに回転させることによって遠心力を付与して氷容器の内周面に押しつけ、回転しながら氷容器の内周面に押しつけられた氷を氷切削刃により削り取って削り氷として氷排出口から放出させている。
【先行技術文献】
【特許文献】
【０００４】
【特許文献１】実開昭６３−１３９４６２号公報
【発明の概要】
【発明が解決しようとする課題】
【０００５】
上記のように構成した氷削機においては、氷容器に１辺が約３ｃｍの立方体形状の角氷を７〜８個投入し、回転羽根を氷容器内で回転させると、氷容器内に投入した氷は回転羽根の羽根部とともに氷容器内を回転して水平方向の遠心力が付与される。角氷に付与された遠心力は、円錐台形の内周面と直交する方向の分力と、円錐台形の内周面の斜面に沿って上昇する方向の分力とに分解されるため、角氷は回転しながら円錐台形の内周面に押し付けられて氷切削刃によって切削されつつ、円錐台形の内周面の斜面を上昇をしていく。回転羽根を回転させ始めて角氷を切削し始めたときには、角氷はその自重及び中心側にある他の角氷の重さによって氷容器の円錐台形の内周面の斜面に押しつけられながら切削される。氷容器内の角氷の大半を切削し終えて、氷容器内に残る角氷が薄く削られて板形の氷となると、板形の氷に付与される遠心力が切削される前の角氷よりも弱いために、板形の氷は氷容器の内周面の上部にて氷切削刃に引っ掛かって上方に跳ね上がり、跳ね上がった板形の氷は回転羽根の円環形カバー部に当たって氷容器の下部に落下していた。氷容器内に残る板形の氷は氷容器内で跳ね上がりと落下とを繰り返すようになるため、氷容器内に投入した氷の全てを削り氷とすることができず、削り氷の製造効率が良くない問題があるとともに、板形の氷が跳ね上がりと落下とを繰り返すときの異音が生じる問題があった。本発明は、氷削機の氷容器内に投入した氷の全てを削り氷として切削できるようにすることを目的とする。
【課題を解決するための手段】
【０００６】
本発明は上記課題を解決するため、上側に広がる円錐形または円錐台形をした内周面を有した氷容器と、氷容器の周面にて母線の方向に沿って形成したスリットよりなる氷排出口から内部に突出して設けた氷切削刃と、氷容器内にて鉛直方向を軸線回りとして回転自在に設けた回転羽根とを備え、回転羽根は氷容器の底部の中心部に回転可能に支持されたハブと、ハブから氷容器の内周面に沿って延びる複数の羽根部と、複数の羽根部の各上縁に接続されて氷容器の上側を覆う円環形カバー部とを有し、回転羽根を氷容器内で回転させることにより、氷容器内に収容した氷を複数の羽根部とともに回転させることによって水平方向にて外向きの遠心力を付与して氷容器の内周面に押しつけ、回転しながら氷容器の内周面に押しつけられた氷を氷切削刃により削り取って削り氷として氷排出口から放出させるようにした氷削機であって、回転羽根の羽根部の上縁には円環形カバー部の下面との間の回転羽根の回転方向を向く面に回転方向に進むにつれて上側に傾斜する傾斜面を有した傾斜部を設けたことを特徴とする氷削機を提供するものである。
【０００７】
上記のように構成した氷削機においては、氷容器内に氷を収容して回転羽根を回転させると、氷容器内に収容した氷は回転羽根の羽根部に押されながら回転して水平方向の外向きの遠心力を付与される。氷に付与された水平方向の外向きの遠心力は円錐形または円錐台形の内周面の斜面と直交する方向の分力と、円錐形または円錐台形の内周面の斜面に沿って上昇する方向の分力に分解され、氷は回転しながら円錐形または円錐台形の内周面の斜面に押し付けられて氷切削刃によって切削されつつ、円錐形または円錐台形の内周面の斜面を上昇する。氷容器の円錐形または円錐台形の内周面の斜面の上部に上昇した氷は、回転羽根の羽根部の上縁と円環形カバー部の下面との間にて回転方向に進むにつれて上側に傾斜する傾斜面を有した傾斜部によって円錐形または円錐台形の内周面の斜面の上部にさらに押しつけられるようになる。氷容器内の氷の大半を切削したときのように氷が小さく削られ、氷が小さく削られたことに起因して遠心力が弱くなっても、氷は傾斜部によって氷容器の円錐形または円錐台形をした内周面の斜面の上部に強く押しつけられるようになる。これにより、氷容器内に収容した氷の全てを削り氷として切削することができ、削り氷の製造効率を良くすることができた。また、氷容器内で小さく削られて残る氷が繰り返し跳ね上がることがないので、ユーザが跳ね上がる氷による異音によって不快となりにくくなった。
【０００８】
上記のように構成した氷削機においては、傾斜部は傾斜面を内側に凹む曲面形状とするのが好ましい。また、傾斜部は氷容器の中心側から外側に進むに連れて傾斜面が狭くなるようにするのが好ましく、このようにしたときには、氷容器の円錐形または円錐台形の内周面の斜面の上部に上昇した氷を円錐形または円錐台形の内周面の斜面の上部にさらに押しつけることができるようになる。
【図面の簡単な説明】
【０００９】
【図１】本発明による氷削機の一実施形態を示す斜視図である。
【図２】図１の前後方向に沿った縦方向断面図である。
【図３】回転羽根を斜め下方から見た斜視図である。
【図４】角氷に加えられる遠心力を示す概略図である。
【図５】左側が本実施形態の氷削機によって切削した削り氷であり、右側が従来の氷削機によって切削した削り氷である。
【図６】他の実施形態の回転羽根を示す図３に相当する斜視図である。
【発明を実施するための形態】
【００１０】
以下に、本発明による氷削機の一実施形態を図面を参照して説明する。図１に示したように、本発明による氷削機１０はベースケーシング１１と、ベースケーシング１１の上側に氷を収容する氷容器１２とを備えている。ベースケーシング１１の内部には後述する回転羽根３０を回転させるモータ２０が収容されている。モータ２０の出力軸２０ａには歯車伝達機構２１によって駆動軸２２が連結されており、駆動軸２２は鉛直方向を軸線方向となるように氷容器１２の底壁から内部に突出している。
【００１１】
図２に示したように、氷容器１２は角氷を収容するものであり、上側に広がる円錐台形をした内周面を有し、ベースケーシング１１の上側に一体的に組み付けられている。氷容器１２の周面の前部には母線の方向に沿って形成したスリットよりなる氷排出口１２ａが形成されている。氷容器１２の外周面には氷排出口１２ａの近傍位置に氷排出口１２ａから内部に突出する氷切削刃１３が取り付けられている。また、氷容器１２の外周面には氷排出口１２ａの周囲に氷排出口１２ａから落下する削り氷が周囲に飛散するのを防ぐ飛散防止ガード１２ｂが一体的に形成されている。
【００１２】
図２に示したように、氷容器１２の内部には駆動軸２２の上端部に回転羽根３０が着脱可能に取り付けられており、回転羽根３０は氷容器１２内にて鉛直方向を軸線回りとなるように回転可能に設けられている。回転羽根３０はモータ２０の駆動によって回転する駆動軸２２の回転駆動によって回転して氷容器１２内に収容した角氷を回転させるものである。図２及び図３に示したように、回転羽根３０は氷容器１２内の底部の中心部にて駆動軸２２に支持されたハブ３１と、ハブ３１から氷容器１２の内周面に沿って斜め上側に延びる３つの（複数の）羽根部３２と、羽根部３２の各上縁に接続されて氷容器１２の中心部を除く上側を覆う円環形カバー部３３と、円環形カバー部３３の氷投入口３３ａに設けた筒形のシュート３４とを備えている。
【００１３】
図２に示したように、回転羽根３０の羽根部３２は氷容器１２内に収容した角氷を氷容器１２内で回転させ、角氷に水平方向にて外向きの遠心力を付与するものである。図３に示したように、羽根部３２は氷容器１２の底部の中心部に設けたハブ３１の周方向に３等分した位置から回転羽根３０の回転方向と反対方向に旋回するに連れて中心から離れていくように螺旋形に延出している。羽根部３２の下縁は氷容器１２の内周面に沿って斜め上方に延びている。また、羽根部３２の下縁には氷容器１２の内周面との間に隙間が形成されており、上述した氷切削刃１３は氷容器１２内を回転する羽根部３２に接触しない長さで氷容器１２内に突出している。
【００１４】
図２及び図３に示したように、羽根部３２の上縁には氷容器１２の上側を覆う円環形カバー部３３が設けられており、円環形カバー部３３は角氷が氷容器１２内の上側に飛び出るのを防ぐためのものである。円環形カバー部３３の中央部には氷投入口３３ａが形成されており、氷投入口３３ａには氷容器１２内に氷を導く筒形のシュート３４が設けられている。
【００１５】
図２及び図３に示したように、羽根部３２の各上縁には円環形カバー部３３の下面との間にて、回転羽根３０の回転方向を向く面に傾斜部３５が設けられている。傾斜部３５は、回転方向に進むに連れて上側に傾斜する傾斜面３５ａを有している（図３の右側には傾斜部３５をさらにわかりやすくするために従来技術の回転羽根を示している）。傾斜部３５の傾斜面３５ａは回転羽根３０を回転させたときに氷容器１２の円錐台形をした内周面の斜面を上昇する角氷を氷容器１２の円錐台形をした内周面の斜面に押しつけるためのものである。傾斜部３５の傾斜面３５ａは内側に凹むように曲面形状となっている。また、傾斜部３５の傾斜面３５ａは氷容器１２の中心側から外側に進むに連れて狭くなっている。
【００１６】
図１及び図２に示したように、氷容器１２の上側には蓋体１４が設けられており、蓋体１４はバヨネット結合機構によって氷容器１２に着脱可能に取り付けられている。また、蓋体１４の中央部にはシュート３４を介して氷容器１２に角氷を投入するための開口部１４ａが形成されており、蓋体１４の後部には開口部１４ａを開閉自在に塞ぐカバー１５が水平軸線回りに回動可能に取り付けられている。また、カバー１５はモータ２０を駆動させる操作部品の機能を有しており、開口部１４ａを塞いだ状態でカバー１５を下側に押動するとモータ２０を駆動させることができる。
【００１７】
上記のように構成した氷削機１０の作動について説明する。先ず、蓋体１４のカバー１５を開けて、蓋体１４の開口部１４ａから氷容器１２の内部に１辺が約３ｃｍの略立方体形状をした角氷を７〜８個投入する。７〜８個の角氷は一人分の削り氷を切削するのに適した量となっており、氷容器１２内に７〜８個の角氷を収容するとほぼ一杯の状態となっている。蓋体１４のカバー１５を閉じ、カバー１５を下側に押動すると、モータ２０が駆動し、回転羽根３０はモータ２０の駆動を受けて氷容器１２内を回転する。氷容器１２内に収容した角氷は回転羽根３０の羽根部３２とともに回転することによって遠心力が付与されて氷容器１２の内周面に押しつけられ、回転しながら氷容器１２の内周面に押しつけられた角氷は氷切削刃１３により削り取られて削り氷として氷排出口１２ａから放出される。
【００１８】
氷容器１２内を回転する角氷について詳述すると、図４に示したように、氷容器１２内の角氷は回転羽根３０の羽根部３２によって押されて回転して水平方向にて外向きの遠心力Ｆが付与される。角氷に付与された遠心力Ｆは、氷容器１２の円錐台形の内周面の斜面と直交する方向の分力Ｆ１と、円錐台形の内周面の斜面に沿って上昇する方向の分力Ｆ２とに分解される。このとき、角氷は回転しながら氷容器１２の円錐台形の内周面に押し付けられて氷切削刃１３によって切削されつつ、氷容器１２の円錐台形の内周面の斜面を上昇をする。氷容器１２の円錐台形の内周面を上昇する角氷は回転羽根３０の羽根部３２の上縁に設けた傾斜部３５の傾斜面３５ａにぶつかると、角氷に付与されている斜面に沿って上昇する方向の分力Ｆ２の一部が円錐台形の内周面の上部を押しつける力に変換される。このように、氷容器１２の円錐台形の内周面の上部に上昇した角氷は羽根部３２の上部に設けた傾斜部３５によって氷容器１２の円錐台形の内周面にさらに強く押しつけられる。
【００１９】
氷容器１２内の角氷の大半を切削し終え、氷容器１２内に残る角氷が薄く削られて小さな板形の氷となると、板形の氷に付与される遠心力は角氷に付与される遠心力より弱くなる。氷容器１２内に残る板形の氷は上述した分力Ｆ２によって氷容器１２の上部に上昇した状態で回転しており、板形の氷は氷容器１２の上部を回転しながら傾斜部３５によって氷容器１２の円錐台形の内周面の上部にさらに強く押しつけられる。氷容器１２内にて板形に削られた氷は氷容器１２内の上部で上側に跳ね上がることなく回転しながら氷容器１２の内周面に強く押しつけられ、氷容器１２内の氷は残ることなく氷切削刃１３によって切削されるようになる。これにより、氷容器１２内に収容した角氷の全てを削り氷とすることができ、削り氷の製造効率を良くすることができた。さらに、氷容器１２内で小さく削られて残る板形の氷が繰り返し跳ね上がることがないので、ユーザが跳ね上がる氷による異音によって不快となりにくい。
【００２０】
また、羽根部３２の上縁に傾斜部３５を設けてない従来の氷削機で上述したのと同じ条件で７〜８個の角氷を氷削したときには、最後に残る板形の氷が氷容器１２内の上部で繰り返し跳ね上がるため、氷容器１２内の氷の全てを切削できなく、氷容器１２内の角氷の大半を切削するだけでも約４０秒要することになっていた。しかし、この実施形態の氷削機１０では、氷容器１２内の角氷の全てを切削できるようになるだけでなく、氷容器１２内の角氷の全てを約３０秒と短い時間で切削できるようになり、短時間で角氷を削り氷に切削できるようになった。さらに、図５に示したように、この実施形態の氷削機１０で切削した削り氷を上記の従来の氷削機で切削した削り氷と比較すると、削り氷の嵩からも理解できるように、角氷をカンナで削り取ったようなふわふわで口溶けの良い削り氷を製造することができるようになった。
【００２１】
なお、回転羽根３０の羽根部３２の上縁に設けた傾斜部３５は、図３に示したように、傾斜面３５ａを内側に凹むように曲面形状としているが、本発明はこれに限られるものでなく、図６に示したように、傾斜面３５ａを内側に凹ませることなく平面形状としたものであってもよく、このようにしたときにも上述したのと同様の作用効果を得ることができる。
【００２２】
上記の実施形態においては、氷容器１２の内周面を上側に広がる円錐台形としたが、本発明はこれに限られるものでなく、氷容器１２の内周面を上側に広がる円錐形としたものであってもよく、このようにしたときにも上述したのと同様の作用効果を得ることができる。
【００２３】
上記の実施形態においては、回転羽根３０はモータ２０の駆動によって回転するようにしたが、本発明はこれに限られるものでなく、回転羽根３０を例えば手動のレバーを用いることによって、手動で回転するようにしたものであってもよく、このようにしたときにも上述したのと同様の作用効果を得ることができる。
【００２４】
上記の実施形態においては、回転羽根３０の羽根部３２を３つとしたが、本発明はこれに限られるものでなく、羽根部３２を２つまたは４つ以上としてもよく、このようにしたときにも上述したのと同様の作用効果を得ることができる。
【符号の説明】
【００２５】
１０…氷削機、１２…氷容器、１２ａ…氷排出口、１３…氷切削刃、３０…回転羽根、３１…ハブ、３２…羽根部、３３…円環形カバー部、３５ａ…傾斜面、３５…傾斜部。
【要約】
【課題】氷削機の氷容器内に投入した全ての氷が残ることなく削り氷として切削できるようにする。
【解決手段】氷削機１０は、上側に広がる円錐台形をした内周面を有した氷容器１２と、氷容器１２の内部に突出して設けた氷切削刃１３と、氷容器１２内にて鉛直方向を軸線回りとして回転自在に設けた回転羽根３０とを備え、回転羽根３０は氷容器１２の底部の中心部に回転可能に支持されたハブ３１と、ハブ３１から氷容器１２の内周面に沿って外側に延びる複数の羽根部３２と、複数の羽根部３２の各上縁に接続されて氷容器１２の上側を覆う円環形カバー部３３とを有し、回転羽根３０の羽根部３２の上縁には円環形カバー部３３の下面との間の回転羽根３０の回転方向を向く面に回転方向に進むにつれて上側に傾斜する傾斜面３５ａを有した傾斜部３５を設けた。
【選択図】図３【図１】
0005836458.tif 000002
【図２】
0005836458.tif 000003
【図３】
0005836458.tif 000004
【図４】
0005836458.tif 000005
【図６】
0005836458.tif 000006
【図５】
0005836458.tif 000007